(57)【特許請求の範囲】
【請求項１】
土壌を固化する成分として液卵白を乾燥することによって得られるオボアルブミンを含有する粉状の卵白を含み、粉状の状態で土壌と混合させることを特徴とする土壌固化剤。
【請求項２】
土壌を固化する成分として液卵白を乾燥することによって得られるオボアルブミンを含有する粉状の卵白を含む土壌固化剤を粉状の状態で土壌と混合する工程と、
混合した土壌に含まれる卵白の量に対して所定量の水が該土壌に含まれるように、該土壌中の水の量を調整して、前記土壌中の卵白を溶解させる工程と、
乾燥により該土壌の固化処理をして，前記土壌の表面から所定の深度で土壌固化した土壌固化層を形成する工程と、を含むことを特徴とする土壌固化方法。
【請求項３】
５０，０００〜２５０，０００ｍｇ/Ｌの卵白濃度となるように、土壌に混合する粉状の卵白の量と土壌中の水の量とを調整することを特徴とする請求項２に記載の土壌固化方法。
【請求項４】
前記土壌固化剤は、前記土壌の表面を緑化して土壌固化の促進、又は侵食を抑止するための植物の種子を含むことを特徴とする請求項２又は３に記載の土壌固化方法。
【請求項５】
前記土壌固化剤は、粉状の卵殻を含むことを特徴とする請求項２〜４のいずれか１項に記載の土壌固化方法。
【発明の詳細な説明】
【技術分野】
【０００１】
本発明は、自然環境への負荷が小さい土壌固化剤、土壌固化方法および土壌の提供に関する。
【背景技術】
【０００２】
従来、道路の建設等で山の一部を削った際に形成される掘削面を整地した切土法面や、土を盛って整地した盛土法面等の土壌が、雨、風、流水等によって侵食（いわゆる表層崩壊）しないようにセメントやモルタルを吹き付けて施工して侵食抑止を図っている。
【０００３】
近年では、モルタルのみの法面等の土壌の施工による景観の悪化等を考慮して、法面等の土壌に草木を植えて侵食抑止を図る緑化工法との折衷施工によって土壌の侵食抑止を図っている。
【０００４】
草木を植える場合には、草木が生育して法面等の土壌に定着して侵食抑止効果が得られるまでに時間がかかるため、草木の定着まで土壌を固化してこれを維持し土壌が侵食されないようにすることが必要となる。
【０００５】
例えば、特許文献１のものでは、セメントと木本植物の種子とを混合したセメント系の法面緑化用侵食防止材を法面等の土壌に吹き付けることにより土壌固化させて、土壌表層の侵食を防止している。このセメントとして、酸化カルシウム等を含むものが用いられている。
【０００６】
また、一般的に土壌を固化する土壌固化剤として水溶性高分子系、合成樹脂系、アスファルト乳剤系の薬剤も使用されている。
【先行技術文献】
【特許文献】
【０００７】
【特許文献１】特開平１１−１３１０６０号公報
【発明の概要】
【発明が解決しようとする課題】
【０００８】
しかし、上述した薬剤等は環境に悪影響を与える虞があり、自然に優しい土壌固化剤および土壌固化方法が望まれている。特にセメント系のものは強アルカリ性であることから、環境負荷が大きいものとなる。
【０００９】
本発明は、上記課題に鑑みなされたもので、自然環境への負荷が小さい土壌固化剤および土壌固化方法の提供を目的とする。
【課題を解決するための手段】
【００１０】
本発明に係る土壌固化剤は、土壌を固化する成分として、卵白の主成分であるオボアルブミンを含むことを特徴とする。
【００１１】
前記土壌固化剤を、卵白を含むものとしてもよい。また、前記卵白を、液卵白を乾燥することにより得られる粉状の卵白としてもよい。
【００１２】
さらに、前記土壌固化剤をこの粉状の卵白を用いて調製された所定の卵白濃度の卵白水溶液を含むものとしてもよい。
【００１３】
前記土壌固化剤は、前記土壌の表面を緑化して土壌固化の促進、又は侵食を抑止するための植物の種子を含んでいてもよく、粉状の卵殻を含んでいてもよい。
【００１４】
本発明に係る土壌固化方法は、上記いずれかの土壌固化剤を，土壌に対して，混合，浸透又は散布し，乾燥させることで，該土壌の表面から所定の深度まで土壌固化させた土壌固化層を形成する工程を含むことを特徴とする。
【００１５】
ここで、前記土壌固化層を形成する工程の前に、前記土壌に対して粉状の卵殻を混合する工程を行ってもよい。
【００１６】
本発明に係る別の土壌固化方法は、（１）粉状の卵白又はこれに植物種子を含むものを土壌と混合する工程と、（２）混合した土壌に含まれる卵白の量に対して所定量の水が該土壌に含まれるように、該土壌中の水の量を調整して、前記土壌中の卵白を溶解（懸濁を含む。）させる工程と、（３）乾燥により該土壌の固化処理をして，前記土壌の表面から所定の深度で土壌固化した土壌固化層を形成する工程と、を含むことを特徴とする。
【００１７】
さらに、上述した各土壌固化方法において、土壌に対して前記混合、浸透又は散布を行ってから該土壌が土壌固化するまでに、該土壌に前記植物の種子を播いてもよい。
【００１８】
本発明に係る土壌は、土壌粒子がオボアルブミンにより互いに結合されていることを特徴とする。
【発明の効果】
【００１９】
本発明に係る土壌固化剤によれば、土壌を固化させる成分として、卵白主成分のオボアルブミンを含むので、土壌侵食抑止に好適な低コストで自然環境への負荷が小さい土壌固化剤を提供することができる。
【００２０】
前記土壌固化剤を、卵白を含むものとすれば卵白から簡単に上記土壌固化剤を調製することができる。
【００２１】
前記卵白を、液卵白を乾燥することにより得られる粉状の卵白とすれば、オボアルブミンを主成分とする卵白を極力未変性のまま粒状とすることができる。未変性のオボアルブミンの割合が低下しにくいことから、土壌固化能が低下しにくいものとなる。
【００２２】
前記土壌固化剤を、粉状の卵白を用いて調製された所定の卵白濃度の卵白水溶液を含むものとすれば、卵白が均一に分散した土壌固化剤が調製され、土壌を均一に固化させることができる。
【００２３】
前記土壌固化剤が、さらに、前記土壌表面を緑化して土壌固化の促進、又は侵食を抑止するための植物の種子を含んでいれば、本来は土壌固化させるための卵白の成分が前記植物の栄養分にもなるので、土壌侵食抑止用の植物の生育も促進され、この相乗効果により高い土壌侵食抑止効果が得られる。
【００２４】
さらに、粉状の卵殻を含めることにより、土壌固化して得られる土壌固化層の強度が高まる上に、卵殻主成分の炭酸カルシウムにより、酸性の土壌である場合には土壌が中和されて植物の生育が促進される。
【００２５】
本発明に係る土壌固化方法によれば、上述のように卵白主成分のオボアルブミンにより土壌を固化するため、土壌の侵食抑止に好適な低コストで自然環境への負荷が小さい土壌固化方法が提供される。
【００２６】
本発明に係る別の土壌固化方法によれば、上記の工程（１）〜（３）のように粉状の卵白を土壌に撒いた後に散水し、土壌中の水分調整を行うことで土壌を固化するので、水溶液では浸透しにくい土中の深い部分に卵白を含有させることができる。また、水に対する溶解度を超えた卵白の量で土壌を固化することができる。そのため、液状の土壌固化剤では得られない高強度の固化土壌が得られる。
【００２７】
土壌に対して前記混合、浸透又は散布後、該土壌が土壌固化するまでに、該土壌に上記植物の種子を播けば、土壌固化する前の段階で土壌に植物が播種されることから、該植物を発芽、生育を妨げずにその生育促進効果が得られる。
【００２８】
本発明に係る土壌は、土壌粒子がオボアルブミンにより互いに結合されているので、環境負荷が小さく、土壌侵食抑止の目的以外にも好適に使用可能で、取り扱いやすいブロック様の土壌を提供することができる。
【図面の簡単な説明】
【００２９】
【図１Ａ】本発明に係る土壌固化剤により土壌固化層が形成された山の断面を示す模式図である。
【図１Ｂ】（Ａ）〜（Ｃ）は、本発明に係る土壌固化剤を図１Ａの法面に適用してその侵食抑止を図る場合の法面の状態遷移を示す図である。
【図２】（Ａ）は、卵白濃度別の卵白水溶液（土壌固化剤）を適用した珪砂土壌の内部摩擦角度（°）と流出土割合（％）を示す表である。（Ｂ）と（Ｃ）は、それぞれ卵白濃度別の流出土割合（％）と内部摩擦角度（°）についての折線グラフを示す。
【図３】（Ａ）は、珪砂土壌に卵白水溶液を添加して土壌固化した際の固化した土壌の厚さ（固化深度）と固化しなかった土壌の厚さを卵白濃度別に示した表である。（Ｂ）は、（Ａ）のグラフを示す。
【図４】（Ａ）は、珪砂土壌に粉状の卵白を混合し、散水および乾燥処理することで土壌固化させた際の固化した土壌の厚さ（固化深度）と固化しなかった土壌の厚さを卵白濃度別に示す表である。（Ｂ）は、（Ａ）のグラフを示す。
【図５】（Ａ）は、黒土の土壌に卵白水溶液を添加して土壌固化した際の固化した土壌の厚さ（固化深度）と固化しなかった土壌の厚さを卵白濃度別に示した表である。（Ｂ）は、（Ａ）のグラフを示す。
【図６】散水のみした土壌（比較例２）と卵白濃度１０，０００ｍｇ／Ｌの卵白水溶液を散布した土壌（実施例１０）を対比した写真である。
【図７】（Ａ）は、散水のみした土壌（比較例５）、一定の卵白濃度（１０，０００ｍｇ／Ｌ）で粉状の卵白を適用した珪砂土壌の圧縮強度（実施例２５）、実施例２５にさらに所定量の粉状の卵殻を添加した土壌（実施例２６）の圧縮強度を示す表である。（Ｂ）は、実施例２５の土壌固化層を示す写真である。（Ｃ）は、実施例２６の土壌固化層を示す写真である。
【図８】卵白の水溶液又は粉状の卵白と水とを用いて珪砂土壌を土壌固化した場合の各卵白混合量別の土壌の固化深度を示す表である。
【図９】（Ａ）は、図８の粉状の卵白の量と固化深度との相関を示す。（Ｂ）は、図８の卵白混合量と粉状/水溶液（固化深度の比）との相関を示す。
【図１０】（Ａ）と（Ｂ）は、土壌固化させる対象土壌における土：水：卵白の重量比を変化させた場合に、土壌固化層を得るために自然乾燥のみでよいか、又は強制乾燥が必要となるかを示す。
【図１１】図１０（Ａ）及び（Ｂ）について、水／土の重量比に対して、卵白／土の重量比をプロットした図であり、自然乾燥のみでよい条件と強制乾燥が必要となる条件の各範囲を示す。
【図１２】コマツナの生育に与える卵白の影響、コマツナの播種時期を土壌が固化する前後とした場合にコマツナの生育に与える影響を示す表である。
【図１３】（Ａ）〜（Ｃ）は、コマツナの本葉数別の個体頻度を示すグラフである。
【図１４】図１２の各例のコマツナの生育（本葉数と累積相対頻度）を示すグラフである。
【発明を実施するための形態】
【００３０】
本発明の土壌固化剤は、土壌固化する成分として卵白主成分のオボアルブミンを含むことを特徴とする。
【００３１】
図１Ａや図１Ｂに示すように、例えば、自然状態の山（一点鎖の細線）の一部を掘削等した後の山地の切土や盛土の法面（実線）１を緑化してその侵食抑止を図る場合、緑化用植物Ｐの種子（図１Ｂ参照）が発芽して植物Ｐが繁茂し法面１の侵食抑止効果が得られるまでに一定の期間を要するので、それまで他の何らかの方法で法面１の土壌の侵食を抑止する必要があるが、卵白主成分のオボアルブミンを土壌固化の成分とする土壌固化剤であれば自然への負荷が小さく好適に用いることができる。
＜土壌固化剤＞
本発明に係る土壌固化剤は、図１Ａや図１Ｂに示すように、山地等の切土や盛土の法面１等の土壌に適用されるもので、土壌固化させる成分としてオボアルブミンを含んでいる。オボアルブミンを主成分とする卵白は比較的手軽に安価で入手できることや、土壌中で生物分解されることから、卵白を利用することで、低コストで自然環境への負荷が小さい土壌固化剤を提供できる。
【００３２】
土壌固化剤に用いる卵白は、土壌固化成分として機能するオボアルブミンを含むものであればどの生物種由来のものでもよいが、入手のしやすさと他の生物種の卵白量より多量に手に入る点で鶏卵白が好ましい。
＜卵白濃度＞
土壌固化剤中の卵白の濃度範囲は、土壌固化する効果が得られる範囲でなければならず、この範囲は土壌の種類によって変化するので、土壌の種類に応じて土壌固化剤中の卵白濃度を調節する必要がある。
【００３３】
例えば、珪砂の土壌固化に適した卵白濃度範囲は、卵白水溶液（懸濁液を含む。）を用いる場合では、５，０００〜２５０，０００ｍｇ/Ｌである。さらに、卵白濃度が１０，０００〜１００，０００ｍｇ/Ｌであれば、好適に土壌固化して土壌固化層も形成されるため、より好ましいものとなる。一方、後述のように、粉状の卵白を用いる場合は、卵白濃度１０，０００ｍｇ/Ｌを超える範囲が好ましい。
【００３４】
また、一般的な黒土（締固め有り）の土壌固化に適した卵白濃度範囲は、１，０００〜５０，０００ｍｇ/Ｌである。さらに卵白濃度１０，０００〜５０，０００ｍｇ/Ｌであれば、好適に土壌固化して土壌固化層も形成されるため、より好ましい。
【００３５】
このように、対象土壌によって土壌固化に好適な卵白濃度範囲が異なる。また、時期（季節や天候の違い）によっては土壌の水分量も変わるため、土壌の現状に即して好適な卵白濃度範囲となるように土壌固化剤に含める卵白量を調節等することが好ましい。
【００３６】
切土又は盛土の法面等の土壌に適用して土壌固化層を形成する場合、この卵白濃度を、土壌固化層が形成される卵白濃度範囲内で調節することによって、土壌の土壌固化層の厚さや強度等を調節することができる。これにより、土壌固化する土壌の状態や目的に応じた土壌固化層を形成することができる。
＜内部摩擦角度と卵白濃度＞
本願での内部摩擦角度は、土壌固化した法面部分を含む法面土壌が土砂崩れを起こす時の法面と水平面との角度で表される。この内部摩擦角度が大きいほど、より法面の侵食が起きにくいといえる。
【００３７】
土壌固化した切土や盛土の内部摩擦角度は、少なくとも卵白濃度に依存して変化するため、上述した土壌固化する卵白濃度範囲内で、最も高い内部摩擦角度となる卵白濃度に設定することで、効率よく法面の土壌侵食を抑止することができる。
【００３８】
土壌別の好適な卵白濃度範囲を特定するには、例えば木板やプラスチックトレーなどの板面に対象土壌を用いて法面を形成し、この法面に濃度別の土壌固化剤を適用（又は後述するように対象土壌と粉状の卵白を混合して法面を形成してこれに水を散布等する）ことで土壌固化し、その後、法面を水平面に対して傾けていくことで法面の土砂崩れを起こし、この時の水平面と法面との角度を内部摩擦角度とすることで、土壌の種類ごとの、法面の土砂崩れ等の侵食の抑止に有効な卵白濃度範囲を調べることができる。
＜侵食抑止用の植物＞
土壌侵食抑止用の土壌固化剤には、土壌侵食を抑止する植物の種子を含んでいてもよい。この場合、卵白は、植物の育成に栄養面や環境面で好適に寄与する。この植物は、図１Ａ及び図１Ｂに示すように、山地の切土や盛土の法面１等の土壌で生育してその侵食を抑止するもので、一般的に公知の植物を用いることができる（図中では符号Ｐで示す）。より好ましくは、これらの中で上記土壌固化剤が適用された後の法面等の土壌のpＨで生育良好なものである。
＜卵白による副次効果＞
鶏卵の卵白は鶏卵全体の７０%を占め、卵白中、水分は約８７〜８９%、タンパク質は約１０〜１１%を占める。卵白中の主なタンパク質はオボアルブミンで、タンパク質の５４%を占める。卵白中のその他の主なタンパク質は、オボトランスフェリン１２%、オボムコイド１１%、オボムチン３．５%、リゾチーム３．４%を含んでいる。
【００３９】
土壌中の土壌粒子はオボアルブミンによって互いに結合されるため、さまざまな法面等の土壌における飛砂・発塵の防止、抑制に効果が発揮される。また、オボアルブミン等により土壌が粘着固化されるので、卵白の栄養もあり植物が生育しやすい。
【００４０】
また、粘稠性のある気泡性に富む上記卵白成分のオボムチンやオボムコイドにより上記植物の種子が菌等から物理的に保護される。
【００４１】
さらに、卵白水溶液は、鶏卵からそのまま調製する場合はｐＨ９付近であるが、乾燥卵白から調製する場合は酸添加を経るため、水戻しするとほぼ中性となる。いずれも法面等の酸性土壌の酸性ｐＨを緩和し、ｐＨ緩衝作用がある。
＜乾燥した粉状の卵白＞
粉状の卵白を土壌固化剤の一原料として、切土又は盛土の法面等の土壌と混合等し、この土壌に対して噴霧等で水分供給して土壌中の粉状の卵白を卵白水溶液に変えた後、乾燥による土壌の固化処理をする手順を踏んでも土壌固化により土壌侵食を抑止することができる。
【００４２】
粉状の卵白と土壌との混合は、粉状の卵白を法面等の土壌へ直接混合しても良いし、法面等に吹き付ける別の土壌と粉状の卵白とを施工場所とは別の場所で混合してもよい。この場合、混合物を吹付機等により法面等の土壌に散布し整地する。土壌と粉状の卵白を混合することにより、粉状の卵白が飛散しにくいものとなる。
【００４３】
上記混合により法面等の土壌中に散在した粉状の卵白は、水分供給の際に土壌に浸みこんだ水や土壌中の水分に溶解して卵白水溶液に変化し、これが土壌を土壌固化する。そのため、高い卵白濃度の卵白水溶液のように高粘性のために前記法面に浸透しにくいという問題がなく、卵白濃度が高くなるとより厚い土壌固化層を形成することができる。
【００４４】
粉状の卵白を土壌に混合して適用する場合、上述したように卵白濃度が高くなるとより厚い土壌固化層を形成することができることから、特にその強度が要求される法面の法肩１ｂ、法尻１ａ（図１Ａ参照）や、サーモグラフ等により分析された法面等の土壌の脆弱箇所において、土壌固化層の厚さを調節して該当箇所の強度を局所的に高めることが可能である。このため、法面等の土壌の状況に応じて、より好適に土壌侵食を抑止することができる。
【００４５】
上記の場合では水分供給をして土壌固化を行うが、土壌中に含まれる水分のみを利用して、土壌中の粉状の卵白を卵白水溶液に変えて土壌固化させてもよい。この場合の粉状の卵白は、人為的な水分供給をせずに単独で土壌固化させて法面等の土壌侵食を抑止する点で土壌固化剤ということができる。また、この粉状の卵白の粒度や粒形等を調節することで、土壌固化剤の効果を極力持続させてもよい。
【００４６】
粉状の卵白の調製については、例えば特開２００２−３４５４３５や特開平９−２０５９８４等に記載されている乾燥した粉状の卵白の調製方法を用いることができる。
【００４７】
さらに粉状の卵白は、法面等の土壌侵食を抑止するための植物の種子とともに土壌と前記混合等されてもよい。このようにすることで、土壌固化した後に、植物が生育して土壌に定着するまでの間、さらし状態の法面の土壌侵食が抑止される効果だけでなく、植物が土壌に定着するための土壌状態が維持され植物がより確実に生育でき、さらに卵白成分による植物の生育促進効果も得られるという優れた効果を得ることができる。
【００４８】
また、粉状の卵殻を含めて上記混合を行ってもよく、粉状の卵殻を含めることにより卵殻が栄養素となって植物の生育が促進される上に、物理的な土壌固化層の強度も高まる。
【００４９】
この卵殻は、９０％以上は炭酸カルシウムであり、日本の土壌のように酸性の土壌を好適に中和することができる。そのため、卵殻を含めて土壌固化し、土壌固化層を形成することにより、土壌固化する土壌が酸性pＨの場合には、酸性土壌の中和により侵食抑止用の植物が生育しやすくなる。また、中和による土壌ｐＨのシフトにより、固化対象の土壌緑化に適用できる植物種の範囲も広がる。
＜土壌の固化処理＞
切土や盛土の法面等の土壌に対して、土壌固化剤を散布又は粉状の卵白を土壌と混合した後に水分供給等した後、土壌の固化処理を行うことにより、土壌表面から所定の深度まで土壌固化し、土壌固化層が形成される。
【００５０】
法面等の土壌の土壌固化処理は、土壌固化するまでの間、卵白水溶液の卵白濃度が上記土壌固化する卵白濃度範囲から外れないようにすることが必要である。例えば、実際の山の法面などの現場では、散布直後の自然状態を維持しながら土壌を乾燥させて土壌固化する処理が好ましく、作業量の面からも自然乾燥が好ましい。
【００５１】
土壌固化する卵白濃度範囲から外れる場合については、例えば土壌固化するまでに降雨等でさらなる水分供給がなされた場合であり、卵白濃度が低下して土壌固化しない虞がある。
【００５２】
逆に、夏季の日照等で水分蒸発が速い場合、土壌に散布した土壌中の卵白水溶液の卵白濃度が上昇して土壌固化に好適な上記卵白濃度範囲から早い段階で外れる場合があるが、むしろ土壌固化が促進されて好ましいものとなる。
【００５３】
一方、一定面積の対象土壌の施工が完了する前に、時間経過に伴って施工場所の周囲環境（日照の有無等）が変化し、施工の先後の時間差もあることから、対象土壌の一の部分と他の部分との間で、乾燥度合に差異が生じて対象土壌全体として土壌固化が不均一となる場合がある。
【００５４】
しかし、この場合でも、対象土壌の部分を防水シートで覆ったり、噴霧等の散水を行うことで乾燥の進行を遅らせたり、逆に強制乾燥させることで水分蒸発を促進させて対処することができる。これにより、対象土壌全体の乾燥度合を均一に調整して、均一な土壌固化層を得ることができる。
【００５５】
上記のことから、山等の切土又は盛土の法面等の土壌の固化は、土壌固化剤を適用した後の状態をなるべく維持して乾燥させることが好ましい。土壌への土壌固化剤の散布および乾燥は、極力晴天又は曇天の続く週に行うことが好ましい。この乾燥期間は、土壌等の環境条件によっても異なるが、約１〜７日程度である。
【００５６】
上述したように、土壌固化剤を適用する前に、土壌について含水比試験や保水性試験等で適用対象の土壌の単位体積当たりの水分量等を調べておき、これを考慮して散布等の後に土壌中で適正な卵白濃度となるように卵白水溶液の卵白濃度や供給水量等を決定することが好ましい。
【実施例】
【００５７】
以下、図面を参照しながら本発明に係る実施例について説明する。
【００５８】
以下の実施例１〜５では、珪砂の法面に対して卵白濃度別の卵白水溶液を適用し、傾斜角別の土砂流出試験を行った。
＜傾斜角別の土砂流出試験（図２参照）＞
[実施例１] 
以下のものを用意した。
（A１）卵白水溶液
乾燥した粉状の卵白を水で希釈させた卵白水溶液（卵白濃度５，０００ｍｇ/Ｌ）
（B１）珪砂５号（水分０．１％）  ４００ｇ
（C１）プラスチックトレー（１２ｃｍ×１２ｃｍ×２ｃｍ）
まず、珪砂５号（B１)４００ｇをプラスチックトレー（C１）に載置して平らに整地した。その後、卵白水溶液（A１）５０ｍｌを、整地された珪砂の土壌表面（法面）に散布（３．５L/ｍ２）した。この散布から３日間、前記土壌を室温(２５℃)の室内に静置し、風乾（土壌の固化処理）した。
【００５９】
静置した後に水平面に対して法面が所定の角度（３０〜９０°）となるようにプラスチックトレー（C１）を傾けていき、プラスチックトレー（C１）の土壌が土砂崩れを起こす時の角度（内部摩擦角度）を決定した。また、このときの流出土割合（％）＝プラスチックトレー（C１）外に流出した土壌（ｇ）／土壌全体量（ｇ）×１００を算出した。この結果を図２に示す。
【００６０】
なお、珪砂の場合、ほとんど水分を含まないので、土壌に散布された後の卵白水溶液中の濃度はほとんど変化しない。そのため、散布する卵白水溶液中の卵白濃度と土壌中の卵白濃度が一致する。これは他の珪砂を用いた実施例についても同様である． 
[比較例１、実施例２〜５]
卵白水溶液（A１）中の卵白濃度を、比較例１では０ｍｇ/Ｌとし、実施例２〜５では、順に、１０，０００ｍｇ/Ｌ、５０，０００ｍｇ/Ｌ、１００，０００ｍｇ/Ｌ、２５０，０００ｍｇ/Ｌとした以外は、実施例１と同様に試験した。この結果を図２に示す。
（結果）
珪砂の場合、図２に示すように、卵白濃度に比例して土壌固化し、流出土割合（％）や内部摩擦角度は上昇した。
（卵白濃度と流出土割合（％））
図２（B）に示すように、卵白濃度が高くなると、いわゆる土壌の塊として存在する部分が多くなるため、土砂崩れ時の流出土割合（％）が高くなる。この流出土割合（％）は、一般でいう降雨による流水（川など）で徐々に土壌が削れて失われていく指標である土壌流出量とは異なる指標で、上記土壌中のどの程度の割合がいわゆる土壌の塊として存在するかという指標である。
【００６１】
珪砂の場合、卵白濃度と侵食時の流出土割合（％）との相関は、卵白濃度１０，０００ｍｇ/Ｌ以上では卵白濃度１０，０００ｍｇ/Ｌ未満よりも低くなる。これは、卵白濃度が約１０，０００ｍｇ/Ｌを超えると、土壌固化層として存在する土壌の割合が特に増加し、土壌固化層としての強度の高低等に土壌侵食抑止の効果原因が切り替わっていくことによる。
【００６２】
つまり、卵白濃度５，０００ｍｇ/Ｌ付近の卵白水溶液を散布して土壌固化させた土壌では、極めて薄い土壌固化層と土壌粒子が混在した状態であり、ここから卵白濃度の高めていくにつれて、土壌固化層として存在する土壌の割合が増加してくかわりに、土壌粒子として存在する土壌の割合が減少していくのである。
【００６３】
このため、卵白水溶液が散布された土壌部分のうちの大部分が土壌固化層として存在する卵白濃度１０，０００ｍｇ/Ｌ以上の土壌では、土壌固化層がブロックのように塊となって一度に流出することとなる。
【００６４】
その一方で、卵白水溶液が散布された土壌部分のうちのほんの一部が薄膜のように土壌固化層として存在する卵白濃度５，０００ｍｇ/Ｌ付近の土壌では、大部分が土壌粒子として流出することとなる。
【００６５】
そして、卵白濃度１０，０００ｍｇ/Ｌ以上では、前記土壌の塊の量は卵白濃度によってはそれ程変化せず、かわりに土壌固化層の強度が比例して高くなる。このことにより、卵白の高濃度化によって土壌粒子状態から土壌固化層状態へと土壌の状態が特に切り替わる卵白濃度１０，０００ｍｇ/Ｌを境目にして流出土割合に対する卵白の添加効果は小さくなる。
【００６６】
この流出土割合（％）は、図２（B）に示すように、卵白濃度５０，０００ｍｇ/Ｌ〜１００，０００ｍｇ/Ｌがピークで、それより高い卵白濃度範囲の場合では、逆に低下していく。これは、卵白濃度が１００，０００ｍｇ/Ｌを超えたあたりから、卵白の高濃度化により、卵白水溶液が法面へ浸透しにくくなり土壌固化層の厚さが薄くなる一方で、逆に、より硬いものとなって土壌固化層の強度が高まることによる。
【００６７】
このため、１００，０００ｍｇ/Ｌより高濃度の卵白濃度範囲では、土壌固化する土壌の割合は低下して流出量が減る一方で、この卵白濃度範囲でも土壌侵食抑止の効果は、強度が高まることで依然として得られる（図２（C）参照）。
【００６８】
このように、卵白濃度１０，０００ｍｇ/Ｌ以上のときに、土壌固化層として存在する土壌の割合が特に増えて十分な法面の侵食抑止効果が得られ、このうち、卵白濃度が２５０，０００ｍｇ/Ｌでは、卵白水溶液の高い粘性のため、法面にほとんど浸透せず法面表面に薄い土壌固化層が形成され、これにより法面の侵食抑止効果が得られた。
（卵白濃度と内部摩擦角度）
図２（C）に示すように、卵白水溶液（A１）の卵白濃度が高くなると内部摩擦角度が比例して大きくなり、より急峻な法面でも法面の土砂崩れ等の侵食を抑止できる。
【００６９】
珪砂の場合、卵白濃度と内部摩擦角度との相関は、土壌固化層が殆ど形成されない卵白濃度範囲（０〜５，０００ｍｇ/Ｌ）でも存在し、卵白濃度に比例して内部摩擦角度が高まる。これは、卵白濃度１０，０００ｍｇ/Ｌ未満の土壌では、土壌が土壌固化層として存在しないか、または存在してもその割合が低く、大部分の土壌が土壌粒子として存在していることによる。
【００７０】
さらに、卵白濃度１０，０００ｍｇ/Ｌを境に上記相関が変化するが、これは卵白濃度１０，０００ｍｇ/Ｌ以上では土壌固化層としての強度の高低等に侵食抑止の効果原因が切り替わることによる。また、この卵白濃度１０，０００ｍｇ/Ｌ以上の範囲で、ほぼ確実に土壌が崩れる直角まで、ほとんど変わらず上記相関が維持されている点が優れている。つまり、土壌固化層は卵白の高濃度化によりさらに強度が増すことが示されている。
【００７１】
上記した結果から、珪砂５号の場合では、土壌固化して土壌固化層が得られる内部摩擦角度６０°〜９０°を得られる卵白濃度範囲１０，０００〜２５０，０００ｍｇ/Ｌが好ましい。
＜珪砂の土壌固化層の厚さの計測(図３参照)＞
以下の実施例６〜１１では、卵白水溶液により形成した珪砂の土壌固化層について卵白濃度別の固化深度を計測する試験を行った。
[実施例６] 
以下のものを用意した。
（A２）卵白水溶液２０ｍｌ（１，０００ｍｇ/Ｌ）
卵白水溶液（Ａ２）の調製は、１００ｍｌの蒸留水に０．１ｇの乾燥卵白を溶解させ、溶液をピペットにて所定量を採取して行った。
（B２）珪砂５号（水分０．１％）３００ｇ
（C２）両端が開口した樹脂製で透明の円筒管（内径５ｃｍ、筒部の高さ１０ｃｍ、体積１９６ｃｍ３）。なお、円筒管の下端開口はビニルのラップで閉塞されている。
【００７２】
まず、円筒管（C２）を水平のテーブル面に載置して、その上端開口から珪砂５号（B2）３００ｇを目一杯に詰め込み、上端開口の土壌表面を整地した。次に、この土壌表面に対して卵白水溶液（A２）２０ｍｌを一様に散布（１０L／ｍ２）し、この土壌を６日間、前記土壌を室温（２５℃）の室内に静置して風乾した。
【００７３】
静置後に、円筒管（C2）下部のビニルのラップを除去し、土壌固化層となっていない下層の珪砂を下端開口から排出した。排出されずに土壌固化層として円筒管（C2）内に残存した珪砂の塊の厚さ（ｍｍ）を計測し、これを固化深度（ｍｍ）とした。また、排出された珪砂が占めていた下層の厚さ（ｍｍ）も計測、又は、円筒管（C2）の筒部の高さと計測した固化深度（ｍｍ）から算出した。この結果を図３に示す。
[比較例２、実施例７〜１１]
卵白水溶液（A２）の卵白濃度を、比較例２では０ｍｇ/Ｌとし、実施例７〜１１では、順に、５，０００ｍｇ/Ｌ、１０，０００ｍｇ/Ｌ、５０，０００ｍｇ/Ｌ、１００，０００ｍｇ/Ｌ、２５０，０００ｍｇ/Ｌとした以外は、実施例６と同様とした。この結果を図３、図６に示す。
（結果）
図３に示すように、卵白濃度５，０００〜２５０，０００ｍｇ/Ｌで約１〜２７ｍｍの厚さ（固化深度）の土壌固化層が形成された（実施例７〜１１）。
【００７４】
これに対し、卵白濃度５，０００ｍｇ/Ｌ未満（実施例６）では土壌固化層が得られなかった。
【００７５】
一方、卵白濃度２５０，０００ｍｇ/Ｌでは卵白水溶液の粘度が高いため、土壌に浸透しにくく一部が円筒管の上部にあふれ出て、土壌固化層の厚さ（固化深度）は８ｍｍと低下した（実施例１１）。
【００７６】
したがって、卵白水溶液を用いて珪砂を土壌固化させる場合には、卵白水溶液の卵白濃度が５，０００〜１００，０００ｍｇ/Ｌの場合に好適なものとなった。
【００７７】
図２，図３を参照すると、固化深度が１ｍｍを超える場合に土壌固化層として存在する土壌の割合が特に高まる（図２（Ａ）の実施例１，２参照、図３の実施例７，８参照）。この結果から、卵白濃度１０，０００〜１００，０００ｍｇ/Ｌの場合に、特に土壌侵食抑止効果が高まり、好ましい卵白濃度範囲といえる。
＜珪砂の土壌固化層の厚さ(固化深度）の計測(図４参照)＞
以下の実施例１２〜１７では、珪砂と粉状の卵白を混合した土壌へ散水・乾燥することにより形成した珪砂の土壌固化層について卵白濃度別の固化深度を計測する試験を行った。
[実施例１２] 
以下のものを用意した。
(A3-1）粉状の卵白（キユーピータマゴ社製、乾燥卵白Mタイプ、粒径平均２０〜５０μm、かさ比重平均０．４〜０．５）０．１ｇ
(A3-2)蒸留水２０ｍｌ
(B２)珪砂５号（水分０．１％）  ３００ｇ
(C２)両端が開口した樹脂製で透明の円筒管（内径５ｃｍ、筒部の高さ１０ｃｍ、体積１９６ｃｍ３）。なお、この円筒管の下端開口はビニルのラップで閉塞されている。
【００７８】
まず、珪砂（B2）３００ｇと粉状の卵白（A3-1）０．１ｇを均一に混合した。その後、これを水平のテーブル面に載置した円筒管（C２）の上端開口から目一杯に詰め込み、上端開口の土壌表面を整地した。次に、この土壌表面に対して蒸留水 (A3-2) ２０ｍｌを一様に散水し、この土壌を６日間、室温（約２５℃）で静置した。
【００７９】
なお、粉状の卵白(A3-1)０．１ｇに対して蒸留水(A3-2)を２０ｍｌ使用して、卵白濃度を５，０００ｍｇ/Ｌとした。
【００８０】
静置後に、円筒管（C2）下部のビニルのラップを除去し、土壌固化層となっていない下層の土壌を下端開口から排出した。排出されずに土壌固化層として円筒管（C2）内に残存した土壌の塊の厚さ（ｍｍ）を計測し、これを固化深度（ｍｍ）とした。
【００８１】
また、排出された土壌が占めていた下層の厚さ（ｍｍ）も計測、又は、円筒管（C2）の筒部の高さと計測した固化深度（ｍｍ）から算出した。この結果を図４に示す。
[比較例３、実施例１３〜１７]
卵白濃度を、比較例３では０ｍｇ/Ｌとし、実施例１３〜１７では、順に、１０，０００ｍｇ/Ｌ、５０，０００ｍｇ/Ｌ、１００，０００ｍｇ/Ｌ、２５０，０００ｍｇ/Ｌ、５００，０００ｍｇ/Ｌとした以外は、実施例１２と同様とした。この結果を図４に示す。
【００８２】
なお、卵白の濃度は、蒸留水(A3-2)を２０ｍｌとしたまま粉状の卵白(A3-1）の添加量を変えて所定の濃度とした。
（結果）
粉状の卵白を土壌に混ぜて散水することで、卵白水溶液が土壌深くまで浸透し、卵白水溶液を用いた実施例６〜１１の場合（図３参照）と比較して、より厚い土壌固化層が得られた。
【００８３】
そのため、卵白濃度と土壌固化層の厚さ（固化深度）とに高い相関が示された（図４（B）、図８及び図９（Ａ）参照）。
【００８４】
なお，比較例３と実施例１２では、卵白が含まれていないか，あるいは卵白量が少ないため土壌固化層が得られなかった。
（卵白水溶液と粉状の卵白）
卵白濃度が高くなる程、卵白水溶液は高粘度となるので、土壌に染み込みにくいものとなる。しかし、実施例１４〜１７のように、同じ卵白濃度で比較した場合、卵白水溶液を散布するよりも、粉状の卵白と土壌と混合してこれに散水することで、より厚い土壌固化層が得られ、好ましいものとなる(図９(Ａ)参照)。
【００８５】
土壌固化させるための期間（特に土壌乾燥させる期間）は、実際の工期との関係から極力短期間の方が好ましい。そのため、施工対象の土壌について、土壌固化及び土壌乾燥の期間に影響する土壌：土壌中の水分：土壌中の卵白の重量比の好適な範囲を決定したり、状況に応じて施工対象の土壌中の水分量等を調整することは非常に重要なこととなる。
【００８６】
土壌を乾燥に影響を与える要因としては、この卵白と水分の重量比が重要であり、これによって、強制乾燥が必要となったり自然乾燥が必要となったりする。
【００８７】
図１０（Ａ）を参照すると、自然乾燥を行った実施例１〜１７を考慮すると珪砂土壌を土壌固化する場合として、珪砂土壌：土壌中の水分：土壌中の卵白の重量比が、１：０．０６７〜０．１３３：０．０００３〜０．０３３３の範囲となるのが好ましい。
[実施例１８，１９]
実施例１８では、実施例１４において蒸留水(A3-2)を４０ｍｌに変更し、卵白の濃度を２５，０００ｍｇ/Ｌとしたこと以外は、実施例１４と同様とした。
【００８８】
実施例１９は、実施例１５において蒸留水(A3-2)を４０ｍｌに変更し、卵白の濃度を５０，０００ｍｇ/Ｌとしたこと以外は、実施例１５と同様とした。
【００８９】
実施例１８，１９で、実施例１２と同様に自然乾燥により土壌固化処理を行ったところ、自然乾燥では２週間以内に土壌固化層が得られなかったが、図１０（Ｂ）に示すように、強制乾燥では２週間以内に土壌固化層が得られた。
【００９０】
ここでの「自然乾燥」は、土壌を円筒容器内に入れたまま２５℃で保持する乾燥を意味し、「強制乾燥」は、乾燥前の土壌を円筒容器に充填した後、２５℃（室温）で１日間保持し、全体から乾燥が進行するように静かに脱型してインキュベータ（温度３０℃）に静置させる乾燥を意味する。
【００９１】
後述するように、固化強度試験を行った実施例２５，２６についても強制乾燥により土壌固化層を得ることができた。
【００９２】
つまり、実施例１８，１９，２５，２６では、図１０に示すように、重量比のうち，卵白と土の重量比が上記の範囲内であっても、水分と土の重量比が所定の比率の範囲内にないために、土壌固化には強制乾燥が必要であることによる。
【００９３】
図１１は、卵白と水分の重量比によって決定される乾燥条件の範囲を図示したものである。
【００９４】
具体的には、図１１の直線Ａは、土壌を室温２５℃で６日間放置した時点で自然乾燥するか否かの境界線を示している。この境界線より水／土の重量比が高くなる領域（図１１において直線Ａより右側）に当てはまる条件では基本的に強制乾燥が必要となり、逆に、水／土の重量比が低くなる領域（図１１において直線Ａより左側）に当てはまる条件では強制乾燥が不要（自然乾燥のみでもよい）となる。勿論、自然乾燥となる条件の場合に強制乾燥させてもよい。
【００９５】
図１１中の記号「○」は、自然乾燥により１週間以内に乾燥し、実用上都合よいレベルで土壌固化したことを示す（実施例１〜５，７〜１１，１３〜１７参照）。
【００９６】
図１１中の「●」は、２週間の自然乾燥により土壌固化しない（実施例１８，１９）か、固化するか否かが不明であるもの（実施例２５，２６）で、強制乾燥により土壌固化したことを示す。
【００９７】
図１１中の「▲」は、１週間の自然乾燥により土壌固化層が得られないものである（実施例６，１２参照）。
＜黒土の土壌固化層の厚さ（固化深度）の計測(図５参照)＞
以下の実施例２０〜２３では、卵白水溶液により形成した黒土の土壌固化層について卵白濃度別の固化深度を計測する試験を行った。
【００９８】
[実施例２０] 
以下のものを用意した。
（A４）卵白水溶液  ２０ｍｌ（卵白濃度１，０００ｍｇ/Ｌ）
（B３）黒土（締固め有り、市販の園芸用の黒土、含水比１０１%）  ３００ｇ
黒土の締固め方法：
「締固め無し」は、容器ごと軽く上下に振とうし、底面を平らな机に２０回軽く叩打した。
「締固め有り」は、モールドとしての円筒管（内径５ｃｍ、高さ１０ｃｍ）に入れた所定量（締固めた状態で円筒筒の１／３容量となる黒土）の黒土表面全体をランマーとしての１５０gの重りを１０回自由落下させて突き固める締固めを行い、これにより円筒管内の押し下がった黒土の表面に、再び上記と同様に黒土を入れてこれを同様に突き固める操作をさらに２回行い、合計３層に分けて行った。
（Ｃ３）両端が開口した樹脂製で透明の円筒管（内径５．０ｃｍ、筒部の高さ１０．０ｃｍ、体積１９６ｃｍ３）。なお、円筒管の下端開口はビニルのラップで閉塞されている。
【００９９】
まず、円筒管（Ｃ２）を水平のテーブル面に載置して、その上端開口から黒土（B３）３００ｇを目一杯に詰め込んで、上端開口の土壌表面を整地した。次に、この土壌表面に対して卵白水溶液（Ａ４）を一様に散布（１０L／ｍ２）し、この土壌を６日間、室温で静置して風乾させた。
【０１００】
この静置後に、円筒管（Ｃ２）下部のビニルのラップを除去し、土壌固化層となっていない下層の黒土を下端開口から排出した。排出されずに土壌固化層として円筒管（Ｃ２）内に残存した黒土の塊の厚さ（ｍｍ）を計測し、これを固化深度（ｍｍ）とした。また、排出された黒土が占めていた下層の厚さ（ｍｍ）も計測、又は、円筒管（C2）の筒部の高さと計測した固化深度（ｍｍ）から算出した。この結果を図５に示す。
【０１０１】
なお、黒土の場合、含水比が高いので、土壌に散布した卵白水溶液の濃度と散布した後の土壌中における卵白濃度は異なった濃度となる。
【０１０２】
[比較例４、実施例２１〜２３]
卵白水溶液（Ａ４）中の卵白濃度を、比較例４では０ｍｇ/Ｌとし、実施例２１〜２３では、順に、５，０００ｍｇ/Ｌ、１０，０００ｍｇ/Ｌ、５０，０００ｍｇ/Ｌとした以外は、実施例２０と同様とした。この結果を図５に示す。
（結果）
黒土（締固め有り）でも、珪砂の場合（実施例６〜１１）と同様に、５０，０００ｍｇ/Ｌ以下の卵白濃度の卵白水溶液が土壌に浸透して土壌が固化する効果が見られた（実施例２０〜２３、図３と図５を対比して参照）。
【０１０３】
黒土（締固め有り）の場合、少なくとも卵白濃度１，０００〜５０，０００ｍｇ/Ｌで２０〜６０ｍｍの土壌固化層が得られ、この卵白濃度範囲で卵白濃度が高くなると、より厚い土壌固化層を形成することができることが確認された。比較例４では、卵白が含まれていないため土壌固化しなかった。
【０１０４】
実施例２０〜２３から黒土（締め固め有り）の土壌では、実施例２０〜２３で用いた卵白水溶液の卵白含有量、黒土の含水比等から、黒土：土壌の水分：土壌中の卵白の重量比が、１：０．５７：０．００００７〜０．００３の重量比の範囲となるのが好ましい。
【０１０５】
[実施例２４]
黒土（締固め無し）を用いて実施例２０と同様に試験を行ったところ、土壌固化して土壌固化層が得られた。しかし、十分な強度の土壌固化層とならず、土壌固化層より下層の土壌固化層となっていない土壌を円筒管の下端開口から排出する際に、土壌固化層が崩壊して一緒に排出された（不図示）。したがって、黒土の法面等の土壌に十分な強度の土壌固化層を形成するには、法面の黒土を締固めする必要がある。
＜固化強度試験＞
以下の実施例２５，２６、比較例５では、珪砂に対する粉状の卵白の添加や、粉状の卵白と粉状の卵殻の添加により、どのように土壌固化層の圧縮強度が上昇するか調べた。
[実施例２５]
以下のものを用意した。
(A4-1）粉状の卵白  ０．３ｇ
(A4-2）蒸留水    ７ｍｌ
(B4)   珪砂５号（水分０．１％）３０ｇ
(C2)   両端開口の円筒（内径２．５ｃｍ、筒部の高さ５．０ｃｍ、２４．５ｃｍ３）。なお、下端開口はビニルのラップにより閉塞されている。
【０１０６】
粉状の卵白(A4-1）０．３ｇと珪砂（B4）３０ｇを混合し、水平のテーブル面に載置した円筒管（内径２．５ｃｍ、高さ５ｃｍ）に前記混合物を目一杯に詰め込んで、上端開口の土壌表面を整地した。
【０１０７】
次に、この土壌表面に対して蒸留水(A4-2）を一様に散水し、上部にビニルのラップをして、温度３０℃で２４時間、乾燥器中に静置して強制的に全体を乾燥させた。この静置後に、円筒管(C2) 下部のビニルのラップを除去し脱型し、土壌塊のみを乾燥機で３０℃、２４時間乾燥固化させた。
【０１０８】
この乾燥固化した土壌の圧縮強度を、コンクリート用貫入抵抗値試験装置(JIS A 1147)を用いて、以下の方法により計測した。
【０１０９】
計測方法は、簡易の一軸圧縮強度として行い、乾燥固化した土壌の上部から土壌断面より大きい上記装置の針で徐々に力を加えていき、土壌が破壊される際の最大応力値を簡易の一軸圧縮の値として比較の指標とした。この結果を図７に示す。
【０１１０】
[実施例２６]
実施例２５の混合物にさらに粉状の卵殻４．５ｇを混合した以外は、実施例２５と同様にして試験を行った。これにより、珪砂に粉状の卵殻と粉状の卵白の双方を添加した際の土壌固化層の圧縮強度への影響について調べた。この結果を図７に示す。
【０１１１】
なお、粉状の卵殻には、粒径８〜10μｍ、かさ比重０．６〜０．７、市販品「カルホープ」（キユーピータマゴ製）を使用した。
[比較例５]
粉状の卵白（Ａ４−１）を使用しないこと以外は、実施例２５と同様に圧縮強度を計測した。この結果を図７に示す。
（結果）
粉状の卵白のみの場合（実施例２５）では２５kＰaであったが、これに粉状の卵殻を加えると３５kＰa（実施例２６）となり、土壌の圧縮強度に差が見られた。しかし、珪砂のみ場合（比較例５）では、土壌が固化せず崩れて圧縮強度を示さなかった。
＜卵白を用いた植物生育試験＞
[実施例２７，２８]
実施例２７，２８では、乾燥卵白を水に溶解して５０，０００ｍｇ／Ｌの卵白水溶液とし，これを黒土（実施例２０で用いた黒土と同一物）に散布し、卵白水溶液の散布直後と翌日の各時点で黒土にコマツナを播種し、その発芽，生育試験を行った（図１２参照）。
【０１１２】
コマツナは植物の生育に関する土壌の影響評価に一般的に用いられるものである。図１２〜１４に生育試験の結果を示す。実施例２７，２８の散水については土壌固化後に行い、播種の密度は２０粒/７８．５ｃｍ２とした。
【０１１３】
[比較例６]
比較例６では、卵白水溶液の代わりに水のみを散布し、実施例２７と同様にコマツナの発芽試験、生育試験を行った（図１２〜１４参照）。なお、実施例２７，２８と同様に散水を行い、播種の密度は２０粒/７８．５ｃｍ２とした。
（発芽率）
黒土中の卵白が乾燥して土壌の表面が固化する前にコマツナを播種し、５０，０００ｍｇ／Ｌの卵白水溶液を散布した場合（実施例２７）と、散水のみした場合（比較例６）とでは、ともに発芽率（ｂ／ａ）が９５％以上と良好で相違がなかった。ここで、通常、発芽率が８０〜９０％を超えると発芽が良好と判断される。
【０１１４】
しかし、卵白が乾燥して土壌の表面が固化した後にコマツナを播種した場合（実施例２８）では、上記２例に比べて発芽率が７０％とやや低下した。
（生育率）
図１２に示すように、発芽後の生育状況を生育率（播種３週間後に生育している本数/発芽した種子（ｃ/ｂ））で評価すると、実施例２７，２８と比較例６との間に顕著な差異が認められず，発芽後の生育は順調であったことが確認できる。発芽後に枯れてしまった芽は，実施例２７，２８より比較例６の方が多かった。
（上部質量，本葉数）
種子が発芽した後、子葉の後に出る本葉は、さらに分岐してその数を増すが、この本葉数（枚）により植物の成育を判断することができる。また、生育が旺盛であれば植物の上部質量が増すため、植物体の上部質量によっても植物の生育を判断することができる。
【０１１５】
上部質量について、卵白水溶液を散布した実施例２７，２８では、散水のみした比較例６を上回る結果となった（図１２参照）。
【０１１６】
図１３中（Ａ）は比較例６、（Ｂ）は実施例２７、（Ｃ）は実施例２８の本葉数を示す。
【０１１７】
本葉数の分布については、実施例２７，２８で同様となった（図１３（Ｂ），（Ｃ）参照）。また、実施例２７，２８では本葉数７〜８枚の個体が出現したことから、比較例６より生育したことになる。
【０１１８】
また、本葉数（枚）の平均値、中央値についてみると、実施例２７，２８では比較例６を上回る結果となった（図１２参照）。発芽後の生育状況は、比較例６より実施例２７，２８の方が良好であった。
【０１１９】
実施例２７，２８、比較例６の結果より、土壌中の卵白が乾燥，固化する前に土壌に播種すれば，卵白を施さない場合と比較して，コマツナの発芽，生育を妨げることはない。むしろ、上部質量または本葉数で評価すると生育促成効果を有する。
【０１２０】
土壌中の卵白が乾燥・固化し、土壌表面が固化した後に播種すると、卵白を施さない場合と比較して，発芽数は減少するが，その後の発育を妨げることはない。むしろ、生育したコマツナの上部質量または本葉数で評価すると促成効果を有する。
【０１２１】
以上、本発明について実施の形態および実施例を説明してきたが、本発明は上記実施の形態や実施例に限定されるものではない。
【０１２２】
例えば、粉状の卵白を使用して所定の卵白濃度で黒土（締固め有り／無し）を土壌固化してよい。これにより、黒土を所望の固さで土壌固化させることができる。
【０１２３】
実施例では、卵白水溶液の調製や、そのまま粉状の卵白を土壌に適用する場合も含めて、すべて乾燥した粉状の卵白を使用しているが、液卵白、粉状の卵白等の卵白や卵白成分を主として含むものも使用できる。この場合、土壌の含水比等を考慮し、乾燥卵白の卵白量に換算することで同様に土壌固化剤や土壌粘着固化剤として活用することができる。
【０１２４】
上記実施例で示した土壌（珪砂又は黒土）：土壌中の水分：土壌中の卵白の重量比について、土壌固化に直接影響しない土壌深層部分を除いた重量比の範囲を算出し、この重量比の範囲に入るように土壌固化を行なってもよい。
【産業上の利用可能性】
【０１２５】
本発明に係る土壌固化剤は、例えばガーデニング用の鉢植えなどで、塊となりにくい植物の土壌を固化して、根が張る前でも植物と土壌を一体にして取り扱いやすくすることが可能である。また、土壌固化の程度を調節することで土壌への浸水量を調節して、植物の根腐れなどの問題も改善させる効果も期待できる。
【符号の説明】
【０１２６】
・  法面
１ａ  法尻
１ｂ  法肩
２  土壌固化層
３  法面土壌
４  山
Ｐ  植物
【図１Ａ】
0005785036.tif 000002
【図１Ｂ】
0005785036.tif 000003
【図２】
0005785036.tif 000004
【図３】
0005785036.tif 000005
【図４】
0005785036.tif 000006
【図５】
0005785036.tif 000007
【図６】
0005785036.tif 000008
【図７】
0005785036.tif 000009
【図８】
0005785036.tif 000010
【図９】
0005785036.tif 000011
【図１０】
0005785036.tif 000012
【図１１】
0005785036.tif 000013
【図１２】
0005785036.tif 000014
【図１３】
0005785036.tif 000015
【図１４】
0005785036.tif 000016